(57)【要約】【課題】カバーをどちらにでも開閉することができる上に着脱することもでき、また、カバーを開放した状態で保持することができる配線ダクトを提供する。【解決手段】配線ダクト１は、本体２の側板６の各先端の両端に１対の支持片１０が突設され、支持片１０の先端間に開閉軸となる係合軸部１１が設けられている。カバー３は折曲片１４の内側に、折曲片１４の先端方向に挿入口が形成された第１軸受部１５と、折曲片１４の対向する方向に挿入口が形成された第２軸受部１６とで成る軸受けが形成されている。カバー３の係合軸部１１は本体２の上下どちらの軸受けでも係脱可能になっている。【選択図】        図１
2005020956.tif 000002
【特許請求の範囲】
【請求項１】
背板の長手方向両端に適宜間隔をおいて複数の通線用切欠を設けた側板を垂設した本体と、該本体の前面開口を施蓋するカバーとで成る配線ダクトにおいて、前記本体の側板の各先端に係合軸部を設け、前記カバーの長手方向両端に曲成した折曲片の内側に、前記折曲片の先端方向に挿入口が形成され、前記本体の係合軸部を嵌挿させて前記カバーの短手方向への移動を規制する第１軸受部と、前記折曲片の対向する方向に挿入口が形成され、前記本体の係合軸部と係合して前記カバーと直交する方向への移動を規制する第２軸受部と、を適宜箇所に設けたことを特徴とする配線ダクト。
【請求項２】
前記本体の適宜箇所の前記側板の先端に係合突片を設け、前記カバーの折曲片に前記カバーを開放した際に前記本体の係合突片と係合する係合受部を設けたことを特徴とする請求項１に記載の配線ダクト。
【発明の詳細な説明】
【０００１】
【発明の属する技術分野】
本発明は、機器収納用ラック等に設けられ、内部に引き回されるケーブルを収納するための配線ダクトに関する。
【０００２】
【従来の技術】
従来の配線ダクトは、背板の長手方向両端に適宜間隔をおいて複数の通線用切欠を設けた側板を垂設した本体と、本体の前面開口を施蓋するカバーとで成り、本体の側板の各先端に係止部が形成され、カバーの長手方向両端に折曲片が折曲形成されている。そして、本体の係止部にカバーの折曲片を外側から被せて本体にカバーを取り付けるようになっている（例えば、特許文献１参照。）。
【０００３】
【特許文献１】
特開２００２−１５９１１５号公報（第２頁、第１図）
【０００４】
【発明が解決しようとする課題】
そのため、従来の配線ダクトは配線をする度に本体からカバーを取り外さなければならず、紛失する虞があった。
【０００５】
そこで上記問題点に鑑み、本発明の目的は、カバーをどちらにでも開閉することができる上に着脱することもでき、また、カバーを開放した状態で保持することができる配線ダクトを提供することである。
【０００６】
【課題を解決するための手段】
上記目的を達成するために、請求項１に記載の発明によれば、背板の長手方向両端に適宜間隔をおいて複数の通線用切欠を設けた側板を垂設した本体と、本体の前面開口を施蓋するカバーとで成る配線ダクトにおいて、本体の側板の各先端に係合軸部を設け、カバーの長手方向両端に曲成した折曲片の内側に、折曲片の先端方向に挿入口が形成され、本体の係合軸部を嵌挿させてカバーの短手方向への移動を規制する第１軸受部と、折曲片の対向する方向に挿入口が形成され、本体の係合軸部と係合してカバーと直交する方向への移動を規制する第２軸受部と、を適宜箇所に設けたことを特徴とする。
【０００７】
請求項２に記載の発明によれば、請求項１に記載の配線ダクトにおいて、本体の適宜箇所の側板の先端に係合突片を設け、カバーの折曲片にカバーを開放した際に本体の係合突片と係合する係合受部を設けたことを特徴とする。
【０００８】
【発明の実施の形態】
請求項１に記載の発明によれば、背板の長手方向両端に適宜間隔をおいて複数の通線用切欠を設けた側板を垂設した本体と、本体の前面開口を施蓋するカバーとで成る配線ダクトにおいて、本体の側板の各先端に係合軸部を設け、カバーの長手方向両端に曲成した折曲片の内側に、折曲片の先端方向に挿入口が形成され、本体の係合軸部を嵌挿させてカバーの短手方向への移動を規制する第１軸受部と、折曲片の対向する方向に挿入口が形成され、本体の係合軸部と係合してカバーと直交する方向への移動を規制する第２軸受部と、を適宜箇所に設けたことにより、カバーをどちらにでも開閉することができる上に着脱することもできる。
【０００９】
請求項２に記載の発明によれば、請求項１に記載の配線ダクトにおいて、本体の適宜箇所の側板の先端に係合突片を設け、カバーの折曲片にカバーを開放した際に本体の係合突片と係合する係合受部を設けたことにより、カバーを開放した状態で保持することができる。
【００１０】
【実施例】
本発明に係る配線ダクトの実施例を図１〜図６の添付図面に基づいて説明する。
【００１１】
配線ダクト１は、断面コ字状の横長の本体２と、この本体２の前面開口を施蓋するカバー３とで成っている。
【００１２】
本体２は、金属製の背板４の長手方向両端に形成されたダルマ孔５の大径部５ａに樹脂製の側板６の基部７に形成された先端の拡径した固定突起８が挿入され、ダルマ孔５の小径部５ｂに固定突起８をずらして係合させることによって側板６が垂設され、側板６の先端側には適宜間隔をおいて複数の通線用切欠９が設けられている。そして側板６の各先端の両端から１対の支持片１０が突設され、この支持片１０の先端間に棒状の係合軸部１１が設けられている。また、背板４には両端部に本体固定用の取付孔１２が穿設され、中間部にケーブル等の配線を通線するための２個の導出入部１３が開口されている。
【００１３】
カバー３は、長手方向両端に曲成した折曲片１４の内側に、折曲片１４の先端方向に挿入口１５ａが形成された第１軸受部１５と、折曲片１４の対向する方向に挿入口１６ａが形成された第２軸受部１６と、本体２の係合軸部１１に当接する軸受リブ１７とを適宜箇所に設けている。折曲片１４の先端から第２軸受部１６の先端にかけては傾斜面１６ｂが形成され、本体２の係合軸部１１を嵌める際に係合軸部１１が乗り越えやすいようになっている。第１軸受部１５の挿入口１５ａは係合軸部１１を誘いやすいように広がっている。また、折曲片１４はカバー３を開放する際に本体１の支持片１４が干渉しないように切り込み溝１８が形成されている。
【００１４】
本体２にカバー３を取り付けるには、本体２の前面からカバー３を嵌め込む。このとき、カバー３の第１軸受部１５には本体２の係合軸部１１が嵌挿し、第２軸受部１６には傾斜面１６ｂに本体２の係合軸部１１が当接する。更にカバー３を押し込むと、係合軸部１１が第２軸受部１６の傾斜面１６ｂに沿って移動するため、カバー３の折曲片１４が押し広げられ、更にカバー３を押し込むと、第２軸受部１６の挿入口１６ａに嵌挿して係合する。第１軸受部１５はカバー３の短手方向への移動を規制し、第２軸受部１６はカバー３と直交する方向への移動を規制し、第１軸受部１５、第２軸受部１６及び軸受リブ１７の側面が本体２の支持片１０に当接してカバー３の長手方向への移動を規制することによって、本体２にカバー３が取り付けられる。
【００１５】
カバー３を開放するには、カバー３を開放したい側、例えば、カバー３の上側を開放したい場合はカバー３を上方向にずらし、上側折曲片１４の第２軸受部１６の係合を解除することによって下側側板６の係合軸部１１を支軸としてカバー３が回動する。カバー３は折曲片１４の切り込み溝１８の奥部が支持片１０に当接する位置まで開放することができる。
【００１６】
カバー３を本体２から取り外すには、カバー３の一方側の第２軸受部１６の係合を解除した状態で他方側の第２軸受部１６の係合を解除することにより取り外すことができる。
【００１７】
配線ダクト１へ納線するには、カバー３を開放した状態又は取り外した状態で、本体２の背板４の導出入部１３、本体２の左右の開口、又は本体２の側板６の通線用切欠９を通して行う。
【００１８】
尚、本実施例において、カバーの軸受リブは必ずしも必要ではないため、カバーに軸受リブを形成しなかったり、また、本体の側板と背板とを一体成形する等、配線ダクトの構造について本発明の趣旨を逸脱しない範囲において適宜変更可能である。
【００１９】
本発明に係る配線ダクトの第２実施例を図７〜図１３の添付図面に基づいて説明する。
【００２０】
配線ダクト３１は、断面コ字状の横長の本体３２と、この本体３２の前面開口を施蓋するカバー３３とで成っている。
【００２１】
本体３２は、金属製の背板３４の長手方向両端に形成されたダルマ孔３５の大径部３５ａに樹脂製の側板３６の基部３７に形成された先端の拡径した固定突起３８が挿入され、ダルマ孔３５の小径部３５ｂに固定突起３８をずらして係合させることによって側板３６が垂設され、側板３６の先端側には適宜間隔をおいて複数の通線用切欠３９が設けられている。そして側板３６の各先端の両端から１対の支持片４０が突設され、この支持片４０の先端間に棒状の係合軸部４１が設けられている。また、適宜箇所の側板３６の先端の中央に弾性を有する係合突片４９が形成されている。係合突片４９は側板３６の先端を外側方向にＵ字状に形成してあり、先端外面に三角形状の凸部４９ａを突設している。背板３４には両端部に本体固定用の取付孔４２が穿設され、中間部にケーブル等の配線を通線するための２個の導出入部４３が開口されている。
【００２２】
カバー３３は、長手方向両端に曲成した折曲片４４の内側に、折曲片４４の先端方向に挿入口４５ａが形成された第１軸受部４５と、折曲片４４の対向する方向に挿入口４６ａが形成された第２軸受部４６と、本体３２の係合軸部４１に当接する軸受リブ４７とを適宜箇所に設けている。折曲片４４の先端から第２軸受部４６の先端にかけては傾斜面４６ｂが形成され、本体３２の係合軸部４１を嵌める際に係合軸部４１が乗り越えやすいようになっている。第１軸受部４５の挿入口４５ａは係合軸部４１を誘いやすいように広がっている。また、折曲片４４は本体３２の係合突片４９と対向する位置に穴形状の係合受部５０が形成されている。係合受部５０が設けられた部分の折曲片４４の先端部分はカバー３３の開閉時に係合突片４９が干渉しないように切欠溝５１が形成されている。また、カバー３３を開放する際に本体３２の支持片４０が干渉しないように切り込み溝４８が形成されている。
【００２３】
本体３２にカバー３３を取り付けるには、本体３２の前面からカバー３３を嵌め込む。このとき、カバー３３の第１軸受部４５には本体３２の係合軸部４１が嵌挿し、第２軸受部４６には傾斜面４６ｂに本体３２の係合軸部４１が当接する。更にカバー３３を押し込むと、係合軸部４１が第２軸受部４６の傾斜面４６ｂに沿って移動するため、カバー３３の折曲片４４が押し広げられ、更にカバー３３を押し込むと、第２軸受部４６の挿入口４６ａに嵌挿して係合する。第１軸受部４５はカバー３３の短手方向への移動を規制し、第２軸受部４６はカバー３３と直交する方向への移動を規制し、第１軸受部４５、第２軸受部４６及び軸受リブ４７の側面が本体３２の支持片４０に当接してカバー３３の長手方向への移動を規制することによって、本体３２にカバー３３が取り付けられる。
【００２４】
カバー３３を開放するには、カバー３３を開放したい側、例えば、カバー３３の上側を開放したい場合はカバー３３を上方向にずらしてから手前に引っ張り、上側折曲片４４の第２軸受部４６の係合を解除することによって下側側板３６の係合軸部４１を支軸としてカバー３３が回動する。カバー３３は折曲片４４の切り込み溝４８の奥部が支持片４０に当接する位置まで開放することができる。
【００２５】
カバー３３を開放すると、開放していない側の折曲片４４の先端が本体３２の係合突片４９の凸部４９ａに当接し、更にカバー３３を開放すると本体３２の係合突片４９が弾性変形して折曲片４４の先端外面が凸部４９ａを乗り越え、カバー３３が本体３２の側板３６と平行になるまで開放すると弾性突片４９の凸部４９ａが折曲片４４の係合受部５０に係合してカバー３３を開放状態で保持することができる。
【００２６】
カバー３３を本体３２から取り外すには、カバー３３の一方側の第２軸受部４６の係合を解除した状態で他方側の第２軸受部４６の係合を解除することにより取り外すことができる。
【００２７】
配線ダクト３１へ納線するには、カバー３３を開放した状態又は取り外した状態で、本体３２の背板３４の導出入部４３、本体３２の左右の開口、又は本体３２の側板３６の通線用切欠３９を通して行う。
【００２８】
尚、本実施例において、カバーの軸受リブは必ずしも必要ではないため、カバーに軸受リブを形成しなかったり、また、本体の側板と背板とを一体成形したり、また、カバーの係合受部は本体の係合突片と係合すればよいので折曲片の外面を凹状に形成する等、配線ダクトの構造について本発明の趣旨を逸脱しない範囲で適宜変更可能である。
【００２９】
【発明の効果】
以上説明したように、請求項１に記載の発明によれば、背板の長手方向両端に適宜間隔をおいて複数の通線用切欠を設けた側板を垂設した本体と、本体の前面開口を施蓋するカバーとで成る配線ダクトにおいて、本体の側板の各先端に係合軸部を設け、カバーの長手方向両端に曲成した折曲片の内側に、折曲片の先端方向に挿入口が形成され、本体の係合軸部を嵌挿させてカバーの短手方向への移動を規制する第１軸受部と、折曲片の対向する方向に挿入口が形成され、本体の係合軸部と係合してカバーと直交する方向への移動を規制する第２軸受部と、を適宜箇所に設けたことにより、カバーをどちらにでも開閉することができる上に着脱することもできるという効果がある。
【００３０】
請求項２に記載の発明によれば、請求項１に記載の配線ダクトにおいて、本体の適宜箇所の側板の先端に係合突片を設け、カバーの折曲片にカバーを開放した際に本体の係合突片と係合する係合受部を設けたことにより、カバーを開放した状態で保持することができるという効果がある。
【図面の簡単な説明】
【図１】本発明の第１実施例に係る配線ダクトを示し、（ａ）は正面図、（ｂ）は底面図、（ｃ）は右側面図である。
【図２】本発明の第１実施例に係る配線ダクトの背板を示し、（ａ）は正面図、（ｂ）は底面図、（ｃ）は右側面図である。
【図３】本発明の第１実施例に係る配線ダクトの側板を示し、（ａ）は正面図、（ｂ）は底面図、（ｃ）は右側面図である。
【図４】図３のＡ−Ａ線断面図である。
【図５】本発明の第１実施例に係る配線ダクトのカバーを示し、（ａ）は正面図、（ｂ）は底面図、（ｃ）は背面図、（ｄ）は右側面図である。
【図６】図５の各部の断面図を示し、（ａ）はＢ−Ｂ線断面図、（ｂ）はＣ−Ｃ線断面図、（ｃ）はＤ−Ｄ線断面図である。
【図７】本発明の第２実施例に係る配線ダクトを示し、（ａ）は正面図、（ｂ）は底面図、（ｃ）は右側面図である。
【図８】本発明の第２実施例に係る配線ダクトの背板を示し、（ａ）は正面図、（ｂ）は底面図、（ｃ）は右側面図である。
【図９】本発明の第２実施例に係る配線ダクトの側板を示し、（ａ）は正面図、（ｂ）は底面図、（ｃ）は右側面図である。
【図１０】図８の各部の断面図を示し、（ａ）はＥ−Ｅ線断面図、（ｂ）はＡ−Ａ線断面図である。
【図１１】本発明の第２実施例に係る配線ダクトのカバーを示し、（ａ）は正面図、（ｂ）は底面図、（ｃ）は背面図、（ｄ）は右側面図である。
【図１２】図１１の各部の断面図を示し、（ａ）はＢ−Ｂ線断面図、（ｂ）はＣ−Ｃ線断面図、（ｃ）はＤ−Ｄ線断面図である。
【図１３】本発明の第２実施例に係る配線ダクトのカバーを開放する様子を示し、（ａ）はカバーを閉塞した状態、（ｂ）はカバーを半分程度開放してカバーの折曲片が本体の係合突片に当接した状態、（ｃ）はカバーが完全に開放して本体の係合突片がカバーの係合受部に係合した状態である。
【符号の説明】
１…配線ダクト
２…本体
３…カバー
６…側板
９…通線用切欠
１０…支持片
１１…係合軸部
１４…折曲片
１５…第１軸受部
１５ａ…挿入口
１６…第２軸受部
１６ａ…挿入口
１８…切り込み溝
【図１】
2005020956.tif 000003
【図２】
2005020956.tif 000004
【図３】
2005020956.tif 000005
【図４】
2005020956.tif 000006
【図５】
2005020956.tif 000007
【図６】
2005020956.tif 000008
【図７】
2005020956.tif 000009
【図８】
2005020956.tif 000010
【図９】
2005020956.tif 000011
【図１０】
2005020956.tif 000012
【図１１】
2005020956.tif 000013
【図１２】
2005020956.tif 000014
【図１３】
2005020956.tif 000015